【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】  プリント媒体に対して、顔料を水性媒体中に分散状態で含むインクを付与するインク吐出部と、該インクと反応する処理液を付与する処理液吐出部と、該プリント媒体への該インクの付与後に該処理液を付与するための制御手段とを有するインクジェットプリント装置であって、
該インクは、水性媒体と、第１の顔料と、第２の顔料と、高分子分散剤とを含み、前記第１の顔料が、少なくとも１つのアニオン性基が直接もしくは他の原子団を介して該第１の顔料の表面に結合されている自己分散型顔料であり、該第２の顔料が該高分子分散剤によって該水性媒体に分散させることができる顔料であり、該高分子分散剤が第１の顔料の表面に結合されている基と同極性の高分子分散剤およびノニオン性の高分子分散剤の少なくとも一方であり、
該処理液は多価金属陽イオン及びその塩の少なくとも一方を含み、プリント媒体上で該処理液と該インクとが液体状態で接するように付与されたときには、該インクに含まれる少なくとも一方の顔料を凝集させるものであり、
前記制御手段が、前記インク吐出部と前記処理液吐出部のそれぞれに対して、これらの吐出部から前記インクと前記処理液とが別々にプリント媒体に付与され、該プリント媒体において該インクと該処理液とがそれぞれ液状で混合される制御を行うものである
ことを特徴とするインクジェットプリント装置。
【請求項２】  プリント媒体に対して、顔料を水性媒体中に分散状態で含むインクを付与するインク吐出部と、該インクと反応する処理液を付与する処理液吐出部と、該プリント媒体への該インクの付与後に該処理液を付与するための制御手段とを有するインクジェットプリント装置であって、
該インクは、水性媒体と、第１の顔料と、第２の顔料と、高分子分散剤とを含み、前記第１の顔料が、少なくとも１つのアニオン性基が直接もしくは他の原子団を介して該第１の顔料の表面に結合されている自己分散型顔料であり、該第２の顔料が該高分子分散剤によって該水性媒体に分散させることができる顔料であり、該高分子分散剤が第１の顔料の表面に結合されている基と同極性の高分子分散剤およびノニオン性の高分子分散剤の少なくとも一方であり、
該処理液は多価金属陽イオン及びその塩の少なくとも一方を含み、プリント媒体上で該処理液と該インクとが液体状態で接するように付与されたときには、該インクに含まれる少なくとも一方の顔料を凝集させるものであり、
前記制御手段は、前記インク吐出部と前記処理液吐出部のそれぞれに対して、これらの吐出部から前記インクと前記処理液とが別々に前記プリント媒体に付与され、該プリント媒体において該インクと該処理液とがそれぞれ液状で混合されるようにし、且つこれらの液状での混合状態に対して更に前記インクを液状で混合させる制御を行うものである
ことを特徴とするインクジェットプリント装置。
【請求項３】  プリント媒体に対して、顔料を水性媒体中に分散状態で含むインクを付与するインク吐出部と、該インクと反応する処理液を付与する処理液吐出部と、該インクの付与後に該処理液を付与するための制御手段とを有するインクジェットプリント装置であって、
該インクは、水性媒体と、第１の顔料と、第２の顔料と、高分子分散剤とを含み、前記第１の顔料が、少なくとも１つのアニオン性基が直接もしくは他の原子団を介して該第１の顔料の表面に結合されている自己分散型顔料であり、該第２の顔料が該高分子分散剤によって該水性媒体に分散させることができる顔料であり、該高分子分散剤が第１の顔料の表面に結合されている基と同極性の高分子分散剤およびノニオン性の高分子分散剤の少なくとも一方であり、
該処理液は多価金属陽イオン及びその塩の少なくとも一方を含み、プリント媒体上で該処理液と該インクとが液体状態で接するように付与されたときには、該インクに含まれる少なくとも一方の顔料を凝集させるものであり、
前記インク吐出部が該インクを吐出する少なくとも１つの顔料インク吐出部を有し、前記制御手段が、該顔料インク吐出部と前記処理液吐出部とを所定の位置関係で配設する吐出部の配設手段と、該配設手段に配設される各吐出部とプリント媒体とを相対的に移動させるとともに、それぞれの吐出部から該インクおよび該処理液をそれぞれ吐出させ、プリント媒体において該インクおよび該処理液を混合させる制御を行う吐出制御手段と、を具えた
ことを特徴とするインクジェットプリント装置。
【請求項４】  前記アニオン性基が、下記に示すアニオン性基の中から選択される少なくとも１つである請求項１〜３のいずれかに記載のインクジェットプリント装置：
−ＣＯＯＭ、−ＳＯ3Ｍ、−ＰＯ3ＨＭ及び−ＰＯ3Ｍ2
（ここで、これらのＭはそれぞれ独立して、水素原子か、アルカリ金属か、アンモニウムか、あるいは有機アンモニウムを表す）。
【請求項５】  前記他の原子団は、炭素数１〜１２のアルキレン基か、置換基を有しても良いフェニレン基か、あるいは置換基を有しても良いナフチレン基である請求項１〜３のいずれかに記載のインクジェットプリント装置。
【請求項６】  前記第２の顔料がその表面に高分子分散剤を吸着することにより分散されている請求項１〜５のいずれかに記載のインクジェットプリント装置。
【請求項７】  前記第２の顔料が、すくなくとも構造の異なる２種類の顔料を含む請求項１〜６のいずれかに記載のインクジェットプリント装置。
【請求項８】  前記第１の顔料と第２の顔料との質量比率が９／１〜４／６の範囲である請求項１〜７のいずれかに記載のインクジェットプリント装置。
【請求項９】  前記第１の顔料を第２の顔料よりも多く含む請求項１〜８のいずれかに記載のインクジェットプリント装置。
【請求項１０】  前記第１の顔料および第２の顔料の少なくとも一方はカーボンブラックである請求項１〜９のいずれかに記載のインクジェットプリント装置。
【請求項１１】  該インクが更に該第１の顔料の表面に結合されている基と同一の極性の染料を含んでいる請求項１〜１０のいずれかに記載のインクジェットプリント装置。
【請求項１２】  前記配設手段は、所定方向において該顔料インク吐出部、処理液吐出部の順序で配置し、前記吐出制御手段は、前記各吐出部から該インク、該処理液の順にプリント媒体に吐出させて順次混合させるものである請求項３に記載のインクジェットプリント装置。
【請求項１３】  前記配設手段は、所定方向において該顔料インク吐出部、処理液吐出部、該顔料インク吐出部の順序で配置し、前記吐出制御手段は、前記各吐出部から該インク、該処理液、該インクの順にプリント媒体に吐出させて順次混合させるものである請求項３に記載のインクジェットプリント装置。
【請求項１４】  プリント媒体に対して、顔料を水性媒体中に分散状態で含むインクを付与するインク吐出部と、該インクと反応する処理液を付与する処理液吐出部と、該プリント媒体への該インクの付与後に該処理液を付与するための制御手段とを有するインクジェットプリント装置であって、
該インクは、水性媒体と、第１の顔料と、第２の顔料と、高分子分散剤とを含み、前記第１の顔料が、少なくとも１つのアニオン性基が直接もしくは他の原子団を介して該第１の顔料の表面に結合されている自己分散型顔料であり、該第２の顔料が該高分子分散剤によって該水性媒体に分散させることができる顔料であり、該高分子分散剤が第１の顔料の表面に結合されている基と同極性の高分子分散剤およびノニオン性の高分子分散剤の少なくとも一方であり、
該処理液はＣａ++、Ｃｕ++、Ｎｉ++、Ｍｇ++、Ｚｎ+++、Ｂａ++、Ａｌ+++、Ｆｅ+++、Ｃｒ+++、Ｃｏ++、Ｆｅ++、Ｌａ++、Ｎｄ+++及びＹ+++からなる群から選ばれる少なくとも１つの多価金属陽イオン、またはその塩、または多価金属陽イオンとその塩の両方を含む処理液であり、
前記制御手段が、前記インク吐出部と前記処理液吐出部のそれぞれに対して、これらの吐出部から前記インクと前記処理液とが別々にプリント媒体に付与され、該プリント媒体において該インクと該処理液とがそれぞれ液状で混合される制御を行うものである
ことを特徴とするインクジェットプリント装置。
【請求項１５】  プリント媒体に対して、顔料を水性媒体中に分散状態で含むインクを付与するインク吐出部と、該インクと反応する処理液を付与する処理液吐出部と、該プリント媒体への該インクの付与後に該処理液を付与するための制御手段とを有するインクジェットプリント装置であって、
前記インクは、
少なくとも１つのアニオン性基が直接もしくは他の原子団を介して表面に結合されている自己分散型顔料を水性媒体中に含む第１のインクと、
水性媒体と、高分子分散剤によって該水性媒体に分散させることができる顔料と、該第１の顔料の表面に結合されている基と同極性の高分子分散剤およびノニオン性の高分子分散剤の少なくとも一方と、を含む第２のインクとを含み、
該処理液は多価金属陽イオン及びその塩の少なくとも一方を含み、プリント媒体上で該処理液と該インクとが液体状態で接するように付与されたときには、該第１及び第２のインクに含まれる少なくとも一方の顔料を凝集させるものであり、
前記制御手段が、前記第１のインクと、前記第２のインクと、前記処理液とをそれぞれ別々にプリント媒体に、該プリント媒体上で各々が液状で接触するように付与する制御を行うものである
ことを特徴とするインクジェットプリント装置。
【請求項１６】  プリント媒体上に画像を記録する工程を含むインクジェットプリント方法において、
インクをインクジェット記録方法を用いてプリント媒体上に付着させる第１の工程：および該インクとの反応性を有する処理液を該プリント媒体上に付着させる第２の工程：を含み、
該インクは、第１の顔料及び第２の顔料を水性媒体中に分散状態で含み、該第１の顔料が少なくとも１つのアニオン性基が直接もしくは他の原子団を介して表面に結合されている自己分散型顔料であり、該第２の顔料が高分子分散剤によって該水性媒体に分散させることのできる顔料であり、該インクは更に該第１の顔料の表面に結合されている基と同極性の高分子分散剤およびノニオン性の高分子分散剤の少なくとも一方を含むインクであり、
該処理液は多価金属陽イオン及びその塩の少なくとも一方を含み、プリント媒体上で該処理液と該第１及び第２のインクとが液体状態で接するように付与されたときには、該第１のインク及び該第２のインクの各々に含まれている顔料の少なくとも一方を凝集させるものであり、
また、該第２の工程は該第１の工程に引き続いて、もしくは実質的に同時に、該プリント媒体上で該インクと該処理液とが液体状態で接する様に行うことを特徴とするインクジェットプリント方法。
【請求項１７】  前記第１及び第２の工程に引き続き、更に該インクを該プリント媒体上の該インクと該処理液との混合液に対して液体状態で混合される様に該プリント媒体上に付与する第３の工程を更に含む請求項１６に記載のインクジェットプリント方法。
【請求項１８】  第１のインクと第２のインクと処理液とを各々プリント媒体上で互いが液体状態で接する様に付与する工程を含むプリント方法において、該第１のインクが、少なくとも１つのアニオン性基が直接もしくは他の原子団を介して該第１の顔料の表面に結合されている自己分散型顔料を含んでいるものであり、
該第２のインクが、高分子分散剤によって該水性媒体に分散させることができる顔料と該第１の顔料の表面に結合されている基と同極性の高分子分散剤およびノニオン性の高分子分散剤の少なくとも一方とを含み、
該処理液が多価金属陽イオン及びその塩の少なくとも一方を含み、プリント媒体上で該処理液と該第１のインク及び該第２のインクとが液体状態で接するように付与されたときには、該インク中の該第１の顔料及び該第２の顔料の少なくとも一方の顔料を凝集させるものであり、
該第１のインクと該第２のインクの少なくとも一方を該プリント媒体に付与した後に該処理液を付与することを特徴とするインクジェットプリント方法。
【請求項１９】  該第１のインク及び該第２のインクを該プリント媒体に付与した後に該処理液を付与する請求項１８に記載のインクジェットプリント方法。
【請求項２０】  該第１のインク及び該第２のインクのどちらか一方を該プリント媒体に付与し、ついで該処理液を付与し、次に該処理液の付与前に付与しなかったインクを付与する工程を有する請求項１８に記載のインクジェットプリント方法。